(57)【特許請求の範囲】
【請求項１】
前端部から注出部３を突出する外筒１と、該外筒内へ摺動可能に嵌合され、前後方向一部に凹溝19を周設したプランジャ11と、
上記凹溝が囲む芯棒部16の後部を除く部分へ肉厚筒部22を、該肉厚筒部後端から後方突出させた肉薄筒部23を芯棒部分の後部へ、又肉厚筒部外面を外筒１内面へ、それぞれ嵌合させた弾性シール筒21とを有し、
上記プランジャ前方の外筒部分内へ流動体を収納させた状態からプランジャ11を前方押込みすると、上記肉薄筒部23が弾性に抗して圧縮変形することでプランジャに遅れて外筒内を前進し、又プランジャ押込み開放で肉薄筒部23が弾性復元して外筒及びシール筒に対してプランジャが後退可能に形成した
ことを特徴とするシリンジ。
【請求項２】
上記第１の手段を有すると共に、上記凹溝19を、プランジャ前部に設けると共に、該凹溝より後方のプランジャ部分を横断面十字形状等として外筒内面へのプランジャ外面の接触を複数の線状面14で行った
ことを特徴とする請求項１に記載のシリンジ。
【発明の詳細な説明】
【技術分野】
【０００１】
本発明は歯科において用いられているシリンジに関する。
【背景技術】
【０００２】
前端から注出部を突出させた外筒内にプランジャを嵌合させ、該プランジャ押込みで外筒内の流動体が注出部から注出できるよう設けたシリンジが知られているが、注出部からの流動体注出時、プランジャ前方の外筒部分内流動体には、上記注出部の注出孔が細孔であることから残圧が残り、そのためプランジャ押込み終了後にも注出孔から流動体が微量宛流出し、滴下して周辺を汚すことがあった。そのような欠点除去のために、プランジャ前端から棒状部を前方突出すると共に該棒状部の前端部を弾性材でピストン状に包み、プランジャ前方押込み時に棒状部前面が接する弾性材部分が、該前面部分を除く外周および後面部分に対して弾性に抗して前方へ押出された後にその他の弾性材部分が押出され、所定量の流動体がノズルから押出された後、プランジャ押し出しを中止すると、上記棒状部前面により押出されていた弾性材前面部分が弾性復元し、該弾性復元によるプランジャ後退での流動体収納室拡開で既述流動体の残圧が解消するよう設けたシリンジが知られている（特許資料１）。
【特許文献１】特開２００４−２４７６８号公報
【発明の開示】
【発明が解決しようとする課題】
【０００３】
上記従来例の場合は、上記プランジャ前面から突出させた棒状部先端を包むピストン状部の形成が面倒であった。本発明はそのピストン状部該当物を弾性シール筒で形成してその形成が容易となし、プランジャに対するその弾性シール筒の取り付けも容易とし、又プランジャ引き戻しによる既述残圧解消が確実となるよう設けたものである。
【課題を解決するための手段】
【０００４】
第１の手段として、前端部から注出部３を突出する外筒１と、該外筒内へ摺動可能に嵌合され、前後方向一部に凹溝19を周設したプランジャ11と、
上記凹溝が囲む芯棒16の後部を除く部分へ肉厚筒部22を、該肉厚筒部後端から後方突出させた肉薄筒部23を芯棒部分の後部外面へ、又肉厚筒部外面を外筒１内面へ、それぞれ嵌合させた弾性シール筒21とを有し、
上記プランジャ前方の外筒部分内へ流動体を収納させた状態からプランジャ11を前方押込みすると、上記肉薄筒部23が弾性に抗して圧縮変形することでプランジャに遅れて外筒内を前進し、又プランジャ押込み開放で肉薄筒部23が弾性復元して外筒及びシール筒に対してプランジャが後退可能に形成した。
【０００５】
第２の手段として、上記第１の手段を有すると共に、上記凹溝19を、プランジャ前部に設けると共に、該凹溝より後方のプランジャ部分を横断面十字形状等として外筒内面へのプランジャ外面の接触を複数の線状面14で行った。
【発明の効果】
【０００６】
請求項１記載のようにすることで弾性シール筒21はゴム，エラストマー等の弾性材で別部材として形成すればよいからその形成が容易であり、その弾性シール筒21の肉厚筒部22後端から後方突出させた肉薄筒部23をプランジャ引き戻し用の弾性筒部とするが、その肉薄筒部の肉厚調整でプランジャ引き戻し力を自由に調整できる。
【０００７】
請求項２のようにすることで、外筒１内面とプランジャ外面との接触面を狭めて外筒に対するプランジャ外面の摺動抵抗を少なくでき、弾性シール筒嵌合用の凹溝19をプランジャ前部に形成するから、その凹溝内への弾性シール筒嵌合が容易となる。
【発明を実施するための最良の形態】
【０００８】
以下図面について説明する。まず従来公知の部分について簡単に説明すると、１は外筒であり、該外筒後端には指掛け用の外向きフランジ２を付設しており、該外筒前部は注出部３としており、該注出部は注出針４を突出させている。
【０００９】
上記外筒１内へはプランジャ11を摺動自在に嵌合させており、該プランジャ後端には外周部をフランジ状に外方突出させて摘み部12を付設している。
【００１０】
本発明においては、プランジャの前部を除く部分を断面十字形状部13としており、外筒内面との接触を、複数の線状面14で行っている。又その断面十字形状部を前後方向へ三等分し、その各区分の各端部へ外筒内径とほぼ同一外径の円板15を付設している。断面十字形状部前端の円板中央部からは芯棒16を前方突出し、該芯棒前端に、上記円板よりも小外径の小円板17を付設し、該小円板の中央部前面から棒部18を前方突出させている。上記断面十字形状部前端の円板15と小円板17とは、その間に凹溝19を形成するもので、該凹溝内へは弾性シール筒21を嵌合させる。尚既述断面十字形状部は、断面Ｙ字形状部としてもよく、又、断面星形形状部としてもよい。
【００１１】
弾性シール筒21は、ゴムないしエラストマー等の弾性材で形成するものであり、肉厚筒部22後端から弾性圧縮させ、又弾性復元させるための肉薄筒部23を後方突出させており、該肉薄筒部を含む弾性シール筒21の長さは、凹溝19の長さとほぼ等しく形成させている。      
【００１２】
弾性シール筒21の内径は芯棒16の外径とほぼ同一ないしやや大径とする。図示例では肉厚筒部22の前後方向中間部外径を、前後両端部外径よりも小外径としているが同一外径であっても差し支えない。肉厚筒部22の外径は外筒１の内径よりやや大径であり、プランジャ11を外筒１内へ嵌合させた際、肉厚筒部22外面は外筒１内面へ接して強制押込みにより摩擦抵抗に抗して摺動可能に設けておく。
【００１３】
図１の状態からプランジャ11を図左方へ押込むと、肉厚筒部22は外筒内面へ圧接して容易には摺動しないため、後端面を円板15で図左方へ押込まれた肉薄筒部23は図２のように圧縮されてたわみ、該たわみが限界に達したとき肉厚筒部22はプランジャに遅れて図左方へ押込みされ外筒左端部内の流動体は放出される。該放出後プランジャ11を離すと、肉薄筒部23が弾性復元することでプランジャ11は図３のように後退し、該後退により外筒前端部内流動体の残圧を解消し、プランジャー後退による注出部の負圧化によって、注出針等注出部先端部の流動体は注出部へ後退し、流動体の漏れは防止できる。
【図面の簡単な説明】
【００１４】
【図１】本発明シリンジの断面図である。
【図２】図１の状態から僅かにプランジャを外筒内へ押込みした状態を示す断面図である。
【図３】プランジャを前限まで押込みした状態を示す断面図である。
【符号の説明】
【００１５】
１…外筒，２…外向きフランジ，３…注出部，４…注出針，11…プランジャ，
12…摘み部，13…十字形状部，14…線状面，15…円板，16…芯棒，17…小円板，
18…棒部，19…凹溝，21…弾性シール筒，22…肉厚筒部，23…肉薄筒部
【図１】
0004627510.tif 000002
【図２】
0004627510.tif 000003
【図３】
0004627510.tif 000004